【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
埋込み型医療機器（ＩＭＤ）を使用して、自律神経系（ＡＮＳ）の神経トラフィックを代表するものを感知する手段と、
前記感知された神経トラフィックから特徴を抽出する手段と、
前記抽出された特徴のための自律神経系（ＡＮＳ）の神経マーカを創出する手段とを備え、前記自律神経系（ＡＮＳ）の神経マーカは、前記抽出された特徴に関する前記自律神経系（ＡＮＳ）の神経マーカに関する情報を含んでおり、
さらに、外部機器に設けられ、前記自律神経系（ＡＮＳ）の神経マーカのリストを表示する手段を備え、前記自律神経系（ＡＮＳ）の神経マーカのリストを表示する手段は、前記自律神経系（ＡＮＳ）のラベルと、前記リストにある前記自律神経系（ＡＮＳ）の情報の両方を表示する手段を含む、
ことを特徴とするシステム。
【請求項２】
前記特徴を抽出する手段は、前記感知された神経トラフィックをろ過する手段を含み、
前記ろ過する手段は、
ウェーブレット変形を前記感知された神経トラフィックに適用する手段、又は、
周波数ベース・フィルタを前記感知された神経トラフィックに適用する手段、又は、
前記感知された神経トラフィックを整流する手段、又は、
移動ウィンドウ平均を前記感知された神経トラフィックに適用する手段、又は、
対数平均を前記感知された神経トラフィックに適用する手段、又は、
インデックス事象に整列される反復信号を平均する手段を含む、
ことを特徴とする、請求項１に記載のシステム。
【請求項３】
前記抽出する手段は、前記感知された神経トラフィックを事象に相関させる手段を含むことを特徴とする、請求項１に記載のシステム。
【請求項４】
前記事象は、治療の適用を含むことを特徴とする、請求項３に記載のシステム。
【請求項５】
前記事象は、感知された事象を含むことを特徴とする、請求項３に記載のシステム。
【請求項６】
前記抽出する手段は、前記感知された神経トラフィックのパラメータを、少なくとも１つのプログラム可能値と比較する手段を含むことを特徴とする、請求項１に記載のシステム。
【請求項７】
前記自律神経系（ＡＮＳ）の神経マーカに関する情報は、前記抽出された特徴のラベルを含むことを特徴とする、請求項１に記載のシステム。
【請求項８】
前記自律神経系（ＡＮＳ）の神経マーカに関する情報は、前記抽出された特徴の時間スタンプを含むことを特徴とする、請求項１に記載のシステム。
【請求項９】
前記自律神経系（ＡＮＳ）の神経マーカに関する情報は、前記神経活動が感知された位置のインジケータを含むことを特徴とする、請求項１に記載のシステム。
【請求項１０】
前記自律神経系（ＡＮＳ）の神経マーカに関する情報は、神経経路タイプのインジケータを含むことを特徴とする、請求項１に記載のシステム。
【請求項１１】
前記自律神経系（ＡＮＳ）の神経マーカに関する情報は、相関事象に関する情報を含むことを特徴とする、請求項１に記載のシステム。
【請求項１２】
前記自律神経系（ＡＮＳ）の神経マーカに関する情報は、前記自律神経系（ＡＮＳ）の活動の前記感知された神経トラフィックを代表するものうちの少なくとも１つのパラメータに関する情報を含むことを特徴とする、請求項１に記載のシステム。
【請求項１３】
さらに、治療を適用する手段と、前記神経マーカに基づいて治療を自動的に調整する手段とを備えることを特徴とする、請求項１に記載のシステム。
【請求項１４】
さらに、治療を適用する手段と、前記神経マーカに基づいて、適用された治療に関する状態情報を自動的に提供する手段とを備えることを特徴とする、請求項１に記載のシステム。
【請求項１５】
前記自律神経系（ＡＮＳ）の神経マーカに関する情報を表示する手段は、前記感知された神経トラフィックに関連付けられた相関事象に関する情報を表示する手段を含むことを特徴とする、請求項１４に記載のシステム。
【請求項１６】
さらに、前記感知された神経トラフィックから自律神経系（ＡＮＳ）のニューログラムを形成する手段を含み、前記自律神経系（ＡＮＳ）の神経マーカに関する情報を表示する手段は、前記自律神経系（ＡＮＳ）の神経マーカの時間スタンプによって決定された時間期間について前記自律神経系（ＡＮＳ）のニューログラムの各々のセグメントを表示する手段を含むことを特徴とする、請求項１４に記載のシステム。
【請求項１７】
さらに、前記神経マーカをメモリに記憶する手段を含み、前記神経マーカをメモリに記憶する手段は、前記感知された神経トラフィックから抽出された少なくとも１つの予め決めた特徴に関して生成されたトリガに応答して、神経マーカを前記メモリに自動的に記憶する手段を含むことを特徴とする、請求項１に記載のシステム。
【請求項１８】
さらに、ユーザ開始トリガに応答して、前記神経マーカを前記メモリに記憶する手段を備えることを特徴とする、請求項１７に記載のシステム。
【請求項１９】
前記感知された神経トラフィックを表示する信号を受信するポートと、
前記信号を受信して処理し、前記神経マーカを生成するように適合された特徴抽出器と、
を備えることを特徴とする、請求項１〜１７のいずれか１項に記載のシステム。
【請求項２０】
前記埋込み型医療機器（ＩＭＤ）は、神経トラフィックを感知して、前記信号を前記ポートに提供するために、前記ポートに接続されたセンサを含むことを特徴とする、請求項１９に記載のシステム。
【請求項２１】
前記外部機器は、通信チャネルを経て前期埋込み型医療機器（ＩＭＤ）と通信し、前記通信チャネルを経て前記ポートにおいて前記神経活動信号を受信するように構成されることを特徴とする、請求項１９に記載のシステム。
【請求項２２】
前記特徴抽出器は、前記感知された神経刺激信号のフィルタを含むことを特徴とする、請求項１９に記載のシステム。
【請求項２３】
前記特徴抽出器は、前記感知された神経刺激信号を事象に相関させる相関器を含むことを特徴とする、請求項１９に記載のシステム。
【請求項２４】
前記特徴抽出器は、前記神経刺激信号の特徴を少なくとも１つのプログラム可能値と比較するために比較器を含むことを特徴とする、請求項１９に記載のシステム。
【請求項２５】
前記特徴抽出器は、前記神経マーカをメモリに自動的に記憶するためにトリガ機構を含むことを特徴とする、請求項１９に記載のシステム。
【請求項２６】
さらに、前記神経マーカに基づいて警告を提供するように適合されたコントローラを備えることを特徴とする、請求項１９に記載のシステム。
【請求項２７】
ディスプレイを有する外部機器と、
神経マーカを記憶するように適合されたメモリと、
前記メモリおよび前記ディスプレイと通信し、前記神経マーカの表示を前記ディスプレイ上に提供するように適合されたコントローラと、
を備えることを特徴とする、請求項１〜２６のいずれか１項に記載のシステム。
【請求項２８】
前記神経マーカの前記表示は、時間スタンプとラベルを含むことを特徴とする、請求項２７に記載のシステム。
【請求項２９】
前記神経マーカの前記表示は、前記神経マーカに対応する前記感知された神経活動信号の一部の画像を含むことを特徴とする、請求項２７に記載のシステム。
【請求項３０】
前記神経マーカの前記表示は、相関事象の表示を含むことを特徴とする、請求項２７に記載のシステム。
【請求項３１】
さらに、前記感知された神経トラフィックから自律神経系（ＡＮＳ）のニューログラムを形成する手段と、前記自律神経系（ＡＮＳ）のニューログラムの中の前記神経マーカを識別する表示を有する前記自律神経系（ＡＮＳ）のニューログラムの一部を表示する手段とを備えることを特徴とする、請求項１に記載のシステム。
【請求項３２】
さらに、前記リストの前記自律神経系（ＡＮＳ）の神経マーカの１つを選択して、前記選択された自律神経系（ＡＮＳ）の前記神経マーカに対応する前記自律神経系（ＡＮＳ）のニューログラムの１つの一部を表示する手段を備えることを特徴とする、請求項３１に記載のシステム。
【請求項３３】
さらに、前記自律神経系（ＡＮＳ）の神経マーカに関する時間スタンプを使用して、表示すべき自律神経系（ＡＮＳ）のニューログラムのセグメントを決定する手段を含むことを特徴とする、請求項３２に記載のシステム。
【請求項３４】
前記リストにある自律神経系（ＡＮＳ）の神経マーカを表示する手段は、前記リストにある前記自律神経系（ＡＮＳ）の神経マーカの情報を表示する手段を含む、ことを特徴とする、請求項１に記載のシステム。
【請求項３５】
前記リストにある自律神経系（ＡＮＳ）の神経マーカを表示する手段は、前記リストにある前記自律神経系（ＡＮＳ）の神経マーカと関連した事象を表示する手段を含む、ことを特徴とする、請求項１に記載のシステム。
【請求項３６】
前記リストにある自律神経系（ＡＮＳ）の神経マーカを表示する手段は、前記自律神経系（ＡＮＳ）の神経マーカを生成した前記感知された自律神経系（ＡＮＳ）の活動の位置を表示する手段を含む、ことを特徴とする、請求項１に記載のシステム。
【請求項３７】
前記リストにある自律神経系（ＡＮＳ）の神経マーカを表示する手段は、前記自律神経系（ＡＮＳ）の活動を感知する神経経路を識別するための神経経路識別器を表示する手段を含むことを特徴とする、請求項１に記載のシステム。
【請求項３８】
前記神経経路識別器は、遠心性経路識別器、又は、求心性経路識別器を含むことを特徴とする、請求項３７に記載のシステム。
【請求項３９】
前記リストにある自律神経系（ＡＮＳ）の神経マーカを表示する手段は、前記感知された自律神経系（ＡＮＳ）の活動に対応する信号の振幅を表示する手段を含むことを特徴とする、請求項１に記載のシステム。
【請求項４０】
前記リストにある自律神経系（ＡＮＳ）の神経マーカを表示する手段は、前記感知された自律神経系（ＡＮＳ）の活動に対応する信号の周波数を表示する手段を含むことを特徴とする、請求項１に記載のシステム。